(57)【特許請求の範囲】
【請求項１】
カード差込／抜取部、貨幣投入部、印刷物排出部及び貨幣返却部から選択される少なくとも一つと、
水平方向に延び、軸線周りに回転可能な軸と、
該軸と共に回動可能であって、自重により停止した状態で前記各部の少なくとも一つに形成された鉛直開口面を覆う平板状の扉と、
該扉の周辺部を覆うと共に、該扉の下端部よりさらに下方に延びるように該扉に固着され、該扉の開放を防止する錘とを備えることを特徴とするデータ入出力装置。
【発明の詳細な説明】
【技術分野】
【０００１】
本発明は、データ入出力装置に関し、特に、給油所の屋外に設置されて給油装置と連動し、カード又は／及び現金の精算機能等を備えたデータ入出力装置に関する。
【背景技術】
【０００２】
自動車へ燃料油を供給する給油所では、事務所内に屋内データ入出力装置が配置され、給油作業に付帯する給油設定、料金精算等を行う屋外データ入出力装置が、給油作業の効率化を図るために屋外に設けられている。給油料金の精算は、屋外データ入出力装置に設けられた貨幣識別装置やカードリーダーにて行われる（例えば、特許文献１参照）。
【先行技術文献】
【特許文献】
【０００３】
【特許文献１】特開２００５−３５０１１０号公報
【発明の概要】
【発明が解決しようとする課題】
【０００４】
上記特許文献１に記載のデータ入出力装置等には、貨幣識別装置やカードリーダーの挿入口、すなわち貨幣投入部やカード差込／抜取部の前面に、各部の外部への露出を防止するための扉が設けられているが、この扉が風により開き、その際に挿入口より雨や雪、埃等が内部に侵入し、装置の故障に繋がる虞があった。
【０００５】
そこで、本発明は、上記従来の技術における問題点に鑑みてなされたものであって、装置内への雨水等の浸入を確実に防止し、装置の故障を防止することが可能なデータ入手力装置を提供することを目的とする。
【課題を解決するための手段】
【０００６】
上記目的を達成するため、本発明は、データ入出力装置であって、カード差込／抜取部、貨幣投入部、印刷物排出部及び貨幣返却部から選択される少なくとも一つと、水平方向に延び、軸線周りに回転可能な軸と、該軸と共に回動可能であって、自重により停止した状態で前記各部の少なくとも一つに形成された鉛直開口面を覆う平板状の扉と、該扉の周辺部を覆うと共に、該扉の下端部よりさらに下方に延びるように該扉に固着され、該扉の開放を防止する錘とを備えることを特徴とする。
【０００７】
そして、本発明によれば、各部の少なくとも一つの鉛直開口面を覆う平板状の扉と、該扉の周辺部を覆うと共に、該扉の下端部よりさらに下方に延びる錘を設けたため、装置内への雨水等の浸入を確実に防止し、装置の故障を防止することが可能となる。
【発明の効果】
【０００８】
以上のように、本発明によれば、装置内への雨水等の浸入を確実に防止し、装置の故障を防止することが可能なデータ入出力装置を提供することができる。
【図面の簡単な説明】
【０００９】
【図１】本発明にかかるデータ入出力装置を備えた給油装置の全体構成を示す正面図である。
【図２】本発明にかかるデータ入出力装置の一実施の形態における扉及び開放防止手段を示す図であって、（ａ）は正面図、（ｂ）は（ａ）のＡ−Ａ線断面図、（ｃ）は扉の開状態を示すＡ−Ａ線断面図に相当する図である。
【発明を実施するための形態】
【００１０】
次に、本発明を実施するための形態について図面を参照しながら詳細に説明する。
【００１１】
図１は、本発明にかかるデータ入出力装置を備えた給油装置の全体構成を示し、この給油装置１は、給油機構（不図示）に連結される給油ホース１１と、給油ホース１１に接続される給油ノズル１２と、給油ノズル１２を保持する給油ノズル保持部（以下、「保持部」という）１３と、保持部１３に設けられて給油ノズル１２の使用／不使用を判別するノズルスイッチ（以下、「ノズルＳＷ」という）１４とで構成され、顧客は、保持部１３から給油ノズル１２を取り外し、給油ノズル１２のトリガーを引くことにより給油を行う。尚、給油中、すなわち給油ノズル１２が保持部１３から取り外されている場合、ノズルＳＷ１４がＯＮとなる。
【００１２】
データ入出力装置２は、大別して、油種、給油量、給油料金、精算方法等のデータを入力設定するためのタッチパネル２０と、給油料金を計数する計数部（不図示）と、顧客のクレジットカード、デビットカード、プリペイドカード、現金会員カード等のカードを読み取るカードリーダー部２１と、貨幣識別機能を有する貨幣投入部２２と、計数部と貨幣投入部２２により計算された釣りを返却する貨幣返却部２３と、レシート等を印字するプリンタ部２４とを備える。さらに、カードリーダ部２１、貨幣投入部２２、貨幣返却部２３及びプリンタ部２４には、後述するように、各部の外部への露出を防止する扉及び開放防止手段が配置される。この扉及び開放防止手段を設けたのが本発明の特徴である。
【００１３】
図２は、本発明にかかるデータ入出力装置２の一実施の形態を示し、上記扉及び開放防止手段をカードリーダー部２１に設けた場合を示している。
【００１４】
カードリーダー部２１は、カード差込／抜取部２１ａと、凹部２１ｅ内に回動可能に装着された回動軸２１ｂと、回動軸２１ｂに保持部３３を介して固定された扉３１と、扉３１に一体化された錘（開放防止手段）３２とを備える。尚、カードリーダー部２１には、カードが挿入されたことなどを示すアクセスランプ２１ｄが３個配置される。
【００１５】
扉３１は、透明のアクリル板等により矩形板状に構成され、上方縁部が保持部３３を介して回動軸２１ｂに一体化され、扉３１全体が回動軸２１ｂとともに回動する。
【００１６】
錘３２は、アルミニウム等の金属でコの字状に扉３１の周辺を覆うように扉３１に固着される。この錘３２に加わる重力によって、扉３１に鉛直方向下向きの力を付与し、扉３１の開放を防止している。また、錘３２の下端部３２ａは、扉３１の下端部よりもさらに下方に位置するように大きく構成し、カード差込／抜取部２１ａへの雨水等の侵入をより困難にしている。
【００１７】
上記構成により、カードリーダー部２１にカードを挿抜しない場合には、図２（ａ）、（ｂ）に示すように、カード差込／抜取部２１ａの開口部２１ｃは、扉３１によって塞がれるとともに、錘３２に加わる重力によって強風等の場合でも扉３１が吹き上げられることがなく、カード差込／抜取部２１ａ内への雨水等の浸入を確実に防止し、カードリーダー部２１の故障、ひいてはデータ入出力装置２の故障を防止することができる。
【００１８】
カードリーダー部２１にカードを挿抜する場合には、図２（ｃ）に示すように、錘３２の下端部３２ａを指で持ち上げ、カード差込／抜取部２１ａに容易にカードを挿抜することができる。
【００１９】
上記構成を有する扉３１及び錘３２は、給油装置１のデータ入出力装置２を製造する際に同時に設けるだけでなく、既設のデータ入出力装置の扉に錘３２を装着することで扉の開放防止を行うことができる。通常、上述のように、カードリーダー部２１にアクセスランプ２１ｄが配置され、アクセスランプ２１ｄを外部から視認できるように構成する必要があるが、錘３２は、透明な扉３１の三辺を覆うように装着されているため、アクセスランプ２１ｄの視認性に影響を与えることはない。
【００２０】
尚、上記実施の形態においては、主に、カードリーダー部２１に扉及び開放防止手段を設けた場合を例示したが、カードリーダー部２１以外の貨幣投入部２２、貨幣返却部２３、プリンタ部２４の印刷物排出部にも設けることができ、これらの各部すべてに設けることも、一部にのみ設けることもできる。
【符号の説明】
【００２１】
１  給油装置
２  データ入出力装置
１０  給油手段
１１  給油ホース
１２  給油ノズル
１３  保持部
１４  ノズルＳＷ
２０  タッチパネル
２１  カードリーダー部
２１ａ  カード差込／抜取部
２１ｂ  回動軸
２１ｃ  開口部
２１ｄ  アクセスランプ
２１ｅ  凹部
２２  貨幣投入部
２３  貨幣返却部
２４  プリンタ部
３１  扉
３２  錘
３２ａ  下端部
３３  保持部
【図１】
0005434843.tif 000002
【図２】
0005434843.tif 000003